(57)【特許請求の範囲】
【請求項１】
階段の段板や床板等の支持面と手摺との間に介在して該手摺を下方から支持する手摺支柱部材において、
前記支持面に載置固定される有底筒状の根元部と、該根元部の内側中空部に挿入配置され、前記根元部の底板を貫通して前記支持面までねじ込まれることにより前記根元部を固定する固定ビスを下端部に、ネジ部を上端部に各々有する金属ロッドと、該金属ロッドの上端部に下端部のネジ部を螺合することにより固定され、上端部が手摺に接合される先端ロッド部と、前記金属ロッドの上端部と前記先端ロッド部の下端部との螺合部を覆って前記根元部の上端から突出配置され、下端部外周面が前記根元部の内周面に密着接合されて固定される中間スリーブ部とからなることを特徴とする手摺支柱部材。
【請求項２】
階段の段板と手摺との間に介在して該手摺を下方から支持すると共に、上段の段板の段鼻に接して配置される手摺支柱部材において、
前記段板に載置固定される有底筒状の根元部と、該根元部の中空部に挿入配置され、前記根元部の底板を貫通して前記段板までねじ込まれることにより前記根元部を固定する固定ビスを下端部に、ネジ部を上端部に各々有する金属ロッドと、該金属ロッドの上端部に下端部のネジ部を螺合することにより固定され、上端部が手摺に接合される先端ロッド部と、前記金属ロッドの上端部と前記先端ロッド部の下端部との螺合部を覆って前記根元部の上端から突出配置され、下端外周面が前記根元部の内周面に密着接合されて固定される中間スリーブ部とからなり、
且つ前記金属ロッドの周面には中間固定リングが装着され、該中間固定リングは、前記根元部の前記段鼻側の側面に開口形成された段鼻開口を経て、張り出し支持部材を介して前記段鼻に支持固定されていることを特徴とする手摺支柱部材。
【請求項３】
前記中間スリーブ部の上端には、該上端における前記先端ロッド部との隙間を覆うカバーリングが設けられている請求項１又は２に記載の手摺支柱部材。
【請求項４】
請求項１及び／又は請求項２記載の手摺支柱部材が多数連設配置されて手摺を支持する手摺支持構造であって、
前記根元部に対する前記中間スリーブ部の突出長さに変化を持たせて前記手摺支柱部材を連設配置したことを特徴とする手摺支持構造。
【請求項５】
前記各手摺支柱部材を構成する中間スリーブ部の上端には、該上端における前記先端ロッド部との隙間を覆うカバーリングが設けられている請求項４記載の手摺支持構造。
【発明の詳細な説明】
【０００１】
【発明の属する技術分野】
本発明は、階段の段板や床板等の支持面と手摺との間に介在して該手摺を下方から支持する手摺支柱部材及び該手摺支柱部材が多数連設配置されて手摺を支持する手摺支持構造に関する。
【０００２】
【従来の技術及び発明が解決しようとする課題】
例えば建物内部の階段や、吹き抜けに面するホール等に設けられる手摺は、多数の支柱によって支持されると共に、飾り手摺としてその意匠性を高めるために、手摺や支柱に各種の装飾が施される場合がある。
【０００３】
しかしながら、従来の飾り手摺は、支柱の量産性等との関係から、同じ形状の支柱が多数連設配置されて手摺を支持しており、一本一本の支柱の意匠性に変化を持たせることは経済的に困難だった。また、従来の飾り手摺によれば、階段の段板や床板等の支持面への支柱の固定方法として、支持面の裏側から支柱の下面にビス等をねじ込んだり、支柱の根元部側面から支持面に向かって斜めにビス等をねじ込む方法が採用されているが、支持面の裏側からの作業には手間がかかると共に、根元部側面からねじ込まれたビス等は、頭部が露出して美観を損なうことになる。
【０００４】
また、支柱が上段の段板の段鼻に接して配置される場合、支柱の根元を支持面に固定すると共に、支柱の中間部をビス等を用いて段鼻に固定する方法が採用されるが、この場合も、ビスやこれを覆う木ダボ等が支柱の表面に現れて美観を損なうことになる。
【０００５】
本発明は、これらの従来の課題に着目してなされたもので、量産性を図りつつ連設配置される支柱の一本一本に形状の変化を容易に持たせることができ、且つ美観を損なうことなく容易に固定作業を行うことのできる手摺支柱部材及び該手摺支柱部材による手摺支持構造を提供することを目的とする。
【０００６】
また、本発明は、支柱が上段の段板の段鼻に接して配置される際に、美観を損なうことなく支柱の中間部を段鼻に固定することのできる手摺支柱部材を提供することを目的とする。
【０００７】
【課題を解決するための手段】
本発明は、階段の段板や床板等の支持面と手摺との間に介在して該手摺を下方から支持する手摺支柱部材において、前記支持面に載置固定される有底筒状の根元部と、該根元部の内側中空部に挿入配置され、前記根元部の底板を貫通して前記支持面までねじ込まれることにより前記根元部を固定する固定ビスを下端部に、ネジ部を上端部に各々有する金属ロッドと、該金属ロッドの上端部に下端部のネジ部を螺合することにより固定され、上端部が手摺に接合される先端ロッド部と、前記金属ロッドの上端部と前記先端ロッド部の下端部との螺合部を覆って前記根元部の上端から突出配置され、下端部外周面が前記根元部の内周面に密着接合されて固定される中間スリーブ部とからなることを特徴とする手摺支柱部材を提供することにより、上記目的を達成したものである（請求項１記載の発明）。
【０００８】
また、本発明は、階段の段板と手摺との間に介在して該手摺を下方から支持すると共に、上段の段板の段鼻に接して配置される手摺支柱部材において、前記段板に載置固定される有底筒状の根元部と、該根元部の中空部に挿入配置され、前記根元部の底板を貫通して前記段板までねじ込まれることにより前記根元部を固定する固定ビスを下端部に、ネジ部を上端部に各々有する金属ロッドと、該金属ロッドの上端部に下端部のネジ部を螺合することにより固定され、上端部が手摺に接合される先端ロッド部と、前記金属ロッドの上端部と前記先端ロッド部の下端部との螺合部を覆って前記根元部の上端から突出配置され、下端外周面が前記根元部の内周面に密着接合されて固定される中間スリーブ部とからなり、
且つ前記金属ロッドの周面には中間固定リングが装着され、該中間固定リングは、前記根元部の前記段鼻側の側面に開口形成された段鼻開口を経て、張り出し支持部材を介して前記段鼻に支持固定されていることを特徴とする手摺支柱部材を提供することにより、上記目的を達成したものである（請求項２記載の発明）。
【０００９】
ここで、本発明の手摺支柱部材は、前記中間スリーブ部の上端に、該上端における前記先端ロッド部との隙間を覆うカバーリングを設けることが好ましい（請求項３記載の発明）。
【００１０】
そして、本発明は、上記手摺支柱部材が多数連設配置されて手摺を支持する手摺支持構造であって、前記根元部に対する前記中間スリーブ部の突出長さに変化を持たせて前記手摺支柱部材を連設配置したことを特徴とする手摺支持構造を提供することにより、上記目的を達成したものである（請求項４記載の発明）。
【００１１】
ここで、本発明の手摺支持構造は、前記各手摺支柱部材を構成する中間スリーブ部の上端に、該上端における前記先端ロッド部との隙間を覆うカバーリングを設けることが好ましい（請求項５記載の発明）。
【００１２】
【発明の実施の形態】
本発明の好ましい実施形態を添付図面を参照しつつ詳細に説明する。本実施形態によれば、図１及び図２に示すように、階段部から踊り場部にかけて取り付けられる手摺１０を下方から支持して、本実施形態の第１手摺支柱部材１１及び第２手摺支柱部材１２が多数連設配置され、全体として手摺支持構造１３を構成している。ここで、第１手摺支柱部材１１は、階段部の各段板１４の中間部及び踊り場部の床板１６に取り付けられる手摺支柱部材であり、第２手摺支柱部材１２は、階段部において、上段の段板１４或いは踊り場部の床板１６の段鼻１５に接して配置される手摺支柱部材である。
【００１３】
手摺支持構造１３を構成する第１手摺支柱部材１１は、図３（ａ）〜（ｄ）及び図４にも示すように、階段部の段板１４或いは踊り場部の床板１６に載置固定される有底筒状の根元部１７と、この根元部１７の内側中空部に挿入配置され、根元部１７の底板１８を貫通して段板１４或いは床板１６までねじ込まれることにより根元部１７を固定する固定ビス１９を下端部に有する金属ロッド２０と、この金属ロッド２０の上端部の雄ネジ部２１に下端部の雌ネジ部２２を螺合することにより固定される先端ロッド部２３と、金属ロッド２０の雄ネジ部２１と先端ロッド部２３の雌ネジ部２２との螺合部２５を覆って根元部１７の上端から突出して配置され、下端部外周面が根元部１７の内周面に密着接合されて固定される中間スリーブ部２４とからなり、先端ロッド部２３の上端部が手摺１０に接合されて当該手摺１０を下方から支持するものである。
【００１４】
根元部１７は、例えば縦横４０ｍｍ程度の正方形断面を有する３５０ｍｍ程度の長さの例えば木製部材であって、２０ｍｍ程度の厚さの底部１８を残して、内部が例えば直径２５ｍｍ程度の円形断面で中空にくり貫かれている。また、底部１８には、その中央に直径１６ｍｍ程度の凹部が、５ｍｍ程度の深さで形成されており、この凹部２６によって金属ロッド２０の下端部が位置決めされるようになっている。
【００１５】
金属ロッド２０は、例えば直径が１５ｍｍ程度の円柱状のロッド部材であって、４００ｍｍ程度の長さを有し、下端部には木ネジ状の固定ビス１９が、上端部には雄ネジ部２１が、各々突出して設けられている。また、雄ネジ部２１の上端面にはプラス又はマイナス形状のドライバー溝が形成されていて、これにドライバーの先端を差し込んで、金属ロッド２０を回転させることができるようになっている。
【００１６】
先端ロッド部２３は、例えば直径が１５ｍｍ程度の円柱状の木製ロッド部材であって、５４０ｍｍ程度の長さを有し、その下端部には、雌ネジを切ることにより、或いは鬼目ナットを埋め込むことにより、雌ネジ部２２が形成されている。
【００１７】
中間スリーブ部２４は、例えば木製のロッド部材の中央をくり貫くことにより形成された、例えば外形が２０ｍｍ程度、内径が１６ｍｍ程度の円形断面を有する円筒状部材であって、３５０ｍｍ程度の長さを有する。即ち、中間スリーブ部２４は、その内側に金属ロッド２０や先端ロッド部２３を挿通することができる大きさの中空部を備え、また当該中間スリーブ部２４を根元部１７の中空部に上下方向にスライド可能に挿通することができる外側形状を備えている。
【００１８】
上述の構成を有する第１手摺支柱部材１１を階段部の段板１４或いは踊り場部の床板１６に取り付けるには、まず根元部１７を段板１４や床板１６の所定の位置に配設し、上方からこれの中空部に金属ロッド２０を差し込み、根元部１７の底板１８を貫通して固定ビス１９を床板１６までねじ込むと共に、雄ネジ部２１の上端面のドライバー溝にドライバーの先端を差し込んで金属ロッド２０をさらに回転させることにより、根元部１７を金属ロッド２０によって容易かつ強固に固定する。
【００１９】
次に、金属ロッド２０の雄ネジ部２１に先端ロッド部２３の雌ネジ部２２を螺合して先端ロッド部２３を金属ロッド２０に固定する。尚、これらの螺合量を調整することにより、手摺１０に接合される先端ロッド部２３の上端部の高さを調整することができる。
【００２０】
さらに、固定された先端ロッド部２３の上方から、中間スリーブ部２４を差し込み、金属ロッド２０の雄ネジ部２１と先端ロッド部２３の雌ネジ部２２との螺合部２５を覆いつつ、中間スリーブ部２４の上部を根元部１７の上端から突出させて配設固定する。即ち、中間スリーブ部２４は、根元部１７の中空部に上下方向にスライド可能に挿入されるので、中間スリーブ部２４の根元部１７からの突出量を任意に設定し、接着剤を介して中間スリーブ部２４の下端部外周面を根元部１７の内周面に密着接合して固定することにより、中間スリーブ部２４の突出量及び先端ロッド部２３の見付け寸法が各々異なる複数の第１手摺支柱部材１１を容易に得ることができる。
【００２１】
また、中間スリーブ部２４の上端には、この上端の小口における先端ロッド部２３との隙間を覆うカバーリング２６を、先端ロッド部２３の外周面に装着して取り付ける。
【００２２】
そして、上記構成を有する第１手摺支柱部材１１によれば、根元部１７、金属ロッド２０、先端ロッド部２３、中間スリーブ部２４の各部材の量産性を図りつつ、中間スリーブ部２４の根元部１７に対する突出量を調整して、各第１手摺支柱部材１１に形状の変化を容易に持たせることができ、且つ固定ビス１９を根元部１７で覆い隠すと共に、螺合部２５を中間スリーブ部２４で覆って、美観を損なうことなく容易に固定作業を行うことができる。
【００２３】
一方、上記第１手摺支柱部材１１と共に本実施形態の手摺支持構造１３を構成する第２手摺支柱部材１２は、上段の段板１４の段鼻１５に接して配置固定されるもので、根元部２７の構成及び金属ロッド２８を段鼻１５に固定する構成が上記第１手摺支柱部材１１と相違し、その他は上記第１手摺支柱部材１１と同様の構成を有するので、以下これらの相違点を中心に説明する。
【００２４】
第２手摺支柱部材１２によれば、根元部２７は、図５に示すように、例えば縦横４０ｍｍ程度の正方形断面を有する５００ｍｍ程度の長さの木製部材であって、２０ｍｍ程度の厚さの底部１８を残して、内部が例えば直径２５ｍｍ程度の円形断面で中空にくり貫かれていると共に、段鼻１５側に配置される側面３８には、例えば縦２３ｍｍ（段板１４の厚さより小さい値）、横２５ｍｍ程度の大きさの矩形形状の段鼻開口２９が開口形成されている。なお、段鼻開口２９は、根元部２７の下端部から１８０ｍｍ程度の高さ位置に形成されており、これによって、根元部２７を段板１４上に設置した際に、段鼻開口２９が段鼻１５に形成した納り用切欠き３０（図６参照）に臨んで配置されるようになっている。
【００２５】
金属ロッド２８は、上記第１手摺支柱部材１１の金属ロッド２０よりも長い、５５０ｍｍ程度の長さを有すると共に、図６及び図７に示すように、下端部から１６５ｍｍ程度の高さ位置における周面に中間固定リング３１が装着されている。この中間固定リング３１は、矩形形状の固定プレート３２から突出して溶着固定された張り出し支持ボルト３３を介して固定プレート３２によって支持され、この固定プレート３２を、段板１４の段鼻１５に形成した納り用切欠き３０の端面にビス等を介して固定することにより、中間固定リング３１は段鼻１５に支持固定される。したがって金属ロッド２８は、固定ビス１９による根元部の固定と、中間固定リング３１を介した段鼻１５への固定により、２点で固定されることになり、ぐらつきのない安定した固定状態が得られ、これによって第２手摺支柱部材１２を強固に立設固定することが可能になる。尚、中間固定リング３１は、その外周面に雌ネジ孔を有し、該雌ネジ孔を雄ネジを有する張り出し支持ボルト３３に螺合することにより、固定プレート３２と一体化される。また、中間固定リング３１を回転してその螺合量を調整することにより、段鼻１５からの離れを容易に調整できるようになっている。
【００２６】
上述の構成を有する第２手摺支柱部材１２を階段部の段板１４に取り付けるには、まず上段の段板１４の納り用切欠き３０の端面に固定プレート３２を固定して、中間固定リング３１を取り付ける。また、中間固定リング３１の中心と金属ロッド２８の中心とが合致するように中間固定リング３１の位置を調整する。
【００２７】
次に、段鼻開口２９に中間固定リング３１を挿通させつつ、段鼻開口２９が形成された側面２８を段板１４の納り用切欠き３０にはめ込むようにして、根元部２７を上段の段板１４の段鼻１５に接して配置する。
【００２８】
さらに、根元部２７の上方からこれの中空部に、金属ロッド２８を中間固定リング３１を通して挿入し、固定ビス１９により底部１８を縫いつけるようにして根元部２７を固定する。
【００２９】
さらにまた、金属ロッド２８の上端に先端ロッド部２３をねじ込むと共に、手摺１０に接合される先端ロッド部２３の上端部の高さを調整する。
【００３０】
そして、中間スリーブ部２４を、先端ロッド部２３及び金属ロッド２０を内部に挿通しつつ根元部２７の中空部に差し込み、任意の位置でボンド等の接着剤を用いて根元部２７の内周面に密着接合すると共に、中間スリーブ部２４の上端にカバーリング２６を取り付ける。
【００３１】
この第２手摺支柱部材１２によれば、第１手摺支柱部材１１と同様に、各部材の量産性を図りつつ、各第２手摺支柱部材１２に形状の変化を容易に持たせることができると共に、固定ビス１９や螺合部２５を覆って美観を損なうことなく容易に固定作業を行うことができる。また、固定プレート３２や中間固定リング３１を根元部２７で覆って美観を損なうことなく当該第２手摺支柱部材１２の中間部を上段の段板１４の段鼻１５に固定することができる。
【００３２】
本実施形態の手摺支持構造１３は、上記構成の第１手摺支柱部材１１及び第２手摺支柱部材１２を階段部から踊り場部にかけて多数連設配置することにより構成される。即ち、階段部においては、段板１４の中央部分に設置される第１手摺支柱部材１１と、上段の段板１４の段鼻１５に接して配置される第２手摺支柱部材１２とが、等ピッチで交互に配設されると共に、踊り場部においては第１手摺支柱部材１１が等ピッチで連設配置される。また、各手摺支柱部材１１，１２は、その先端ロッド部２３の上端が所望の高さ（例えば床面から９０ｃｍ程度）に位置調整され、この上端にボンド等の接着剤を介して手摺１０が接合固定される。
【００３３】
そして、本実施形態によれば、手摺支持構造１３を構成する第１手摺支柱部材１１及び第２手摺支柱部材１２の根元部１７，２７に対する中間スリーブ部２４の突出量を各々変化させると共に、先端ロッド部２３の見付寸法を変化させて、図１の破線で示すように、中間スリーブ部２４の先端が波型に連なる意匠性に優れた飾り手摺りを構成することになる。すなわち、本実施形態によれば、中間スリーブ部２４の固定位置を各手摺支柱部材１１，１２ごとに変えることが可能なため、多彩なデザインの飾り手摺りの演出が可能となる。
【００３４】
また、本実施形態によれば、階段部における手摺支持構造１３は、２点で支持された第２手摺支柱部材１２を一つ置きに配設して構成されているので、斜めに配設される階段部の手摺１０を強固かつ安定して支持固定することが可能となる。
【００３５】
なお、本発明は上記各実施形態に限定されることなく種々の変更が可能である。例えば、本発明の手摺支持構造は、上端が波型に連なるように中間スリーブ部の位置を変化させる必要は必ずしもなく、他の趣の飾り手摺となるようにその位置を調整することもできる。また、本発明の手摺支柱部材は、中間スリーブ部の上端にカバーリングを別途取り付ける必要は必ずしも無く、中間スリーブ部自体に上端開口から内側に張り出すカバー部分を設けてもよい。さらに、手摺支柱部材を構成する根元部、中間スリーブ部、先端ロッド部は、必ずしも木製の部材である必要はなく、金属製のものや、樹脂成型品等であっても良い。
【００３６】
【発明の効果】
以上詳細に説明したように、本発明の手摺支柱部材及び該手摺支柱部材による手摺支持構造によれば、量産性を図りつつ連設配置される支柱の一本一本に形状の変化を容易に持たせることができ、且つ美観を損なうことなく容易に固定作業を行うことができる。また、本発明の手摺支柱部材によれば、支柱が上段の段板の段鼻に接して配置される際に、美観を損なうことなく支柱の中間部を段鼻に固定することができる。
【図面の簡単な説明】
【図１】本発明の一実施形態に係る手摺支持構造を示す側面図である。
【図２】本発明の一実施形態に係る手摺支持構造を示す拡大側面図である。
【図３】（ａ）は根元部の縦断面図及び横断面図、（ｂ）は金属ロッドの縦断面図及び横断面図、（ｃ）は中間スリーブ部の縦断面図及び横断面図、（ｄ）は先端ロッド部の縦断面図及び横断面図である。
【図４】本発明の一実施形態に係る手摺支柱部材の構成を説明する縦断面図である。
【図５】本発明の他の手摺支柱部材を構成する根元部の縦断面図、横断面図、及び縦断面図を右側から視た側面図である。
【図６】金属ロッドを段鼻に支持固定する構成を説明する略示斜視図である。
【図７】手摺支柱部材を上段の段板の段鼻に接して固定する状況を説明する縦断面図である。
【符号の説明】
１０  手摺
１１  第１手摺支柱部材
１２  第２手摺支柱部材
１３  手摺支持構造
１４  段板
１５  段鼻
１６  床板
１７，２７  根元部
１８  底板
１９  固定ビス
２０，２８  金属ロッド
２１  雄ネジ部
２２  雌ネジ部
２３  先端ロッド部
２４  中間スリーブ部
２５  螺合部
２６  カバーリング
２９  段鼻開口
３０  納り用切欠き
３１  中間固定リング
３２  固定プレート
３３  張り出し支持ボルト（張り出し支持部材）
【図１】
0004272788.tif 000002
【図２】
0004272788.tif 000003
【図３】
0004272788.tif 000004
【図４】
0004272788.tif 000005
【図５】
0004272788.tif 000006
【図６】
0004272788.tif 000007
【図７】
0004272788.tif 000008